(57)【要約】【課題】温湯消毒後に種籾の取り出し位置で容器を吊り上げた状態で底面を開くだけで、容器内の種籾を底面の開いた部分からの放出と底面上の円滑な流動作用とによって迅速かつ確実に取り出すことができる、作業性にすぐれた種籾の温湯消毒用種籾容器を提供する。【解決手段】種籾容器１は、容器の周面２，３および底面４が多孔板で構成される。底面４は種籾の安息角を超える角度まで傾斜状に下方に向けて開放自在の開閉蓋６で構成されている。開閉蓋６は左右の周面３の下端にヒンジ７で取り付けられている。容器の左右中間部には容器内を２分する仕切体５が設けられている。仕切体５は多孔状であって通水面を成している。【選択図】        図１
2004337134.tif 000002
【特許請求の範囲】
【請求項１】
種籾を温湯に浸して病原菌を殺菌、滅菌または除菌する種籾の温湯消毒に用いる種籾容器であって、容器の周面および底面は多孔板で構成され、底面は種籾の安息角を超える角度まで傾斜状に下方に向けて開放自在に構成されていることを特徴とする種籾の温湯消毒用種籾容器。
【請求項２】
容器の底面は、容器の周面下端にヒンジ構造をもって開閉自在に取り付けられた開閉蓋構造であることを特徴とする請求項１記載の種籾の温湯消毒用種籾容器。
【請求項３】
容器は立方体または直方体であって、容器の左右中間部には容器内を２分する仕切体が設けられており、底面は容器の左右下端にそれぞれヒンジ構造で取り付けられ、かつ仕切体側を開き端とする２枚の開閉蓋構造であることを特徴とする請求項１または２記載の種籾の温湯消毒用種籾容器。
【請求項４】
容器内を２分する仕切体は多孔状であって、この仕切体は通水面を成していることを特徴とする請求項３記載の種籾の温湯消毒用種籾容器。
【請求項５】
２枚の開閉蓋は、連動して同時に開閉自在であって、その連動機構は仕切体内に装備されていることを特徴とする請求項２ないし４のいずれかに記載の種籾の温湯消毒用種籾容器。
【請求項６】
容器は吊り構造を成し、容器の吊り上げ状態でその底面の開放操作ができ、開放した底面は容器を所要の載置面に降ろす過程で自動的に閉じかつ閉じ保持される構成であることを特徴とする請求項１ないし５のいずれかに記載の種籾の温湯消毒用種籾容器。
【発明の詳細な説明】
【０００１】
【発明の属する技術分野】
本発明は、種籾を温湯に浸して種籾の表面に付着しまたは籾殻と果皮との間に潜む病原菌（いもち病、ばか苗病、苗立枯細菌病、ごま葉枯病、褐条病、もみ枯細菌病などの病原菌）を殺菌、滅菌または除菌（以下、消毒という）する種籾の温湯消毒に用いる種籾容器に関するものである。
【０００２】
【従来の技術】
種籾を所定温度の温湯に所定時間浸すことにより、種籾の表面に付着または籾殻と果皮との間に潜む病原菌を消毒する方法および装置は、特開２０００−３１６３２１号公報、特開２０００−３４２０１８号公報または特開２００３−９６１２号公報に記載されており、種籾の温湯消毒に種籾容器を用いることは同公報にそれぞれ記載されている。また、種籾を網袋に入れることなく種籾容器に直に収納して温湯消毒することも前掲の特開２００３−９６１２号公報に記載されている。
【０００３】
【発明が解決しようとする課題】
前掲の特開２０００−３１６３２１号公報、特開２０００−３４２０１８号公報または特開２００３−９６１２号公報に記載されている種籾の温湯消毒用種籾容器は、底面が閉じている通水性のものであるから、種籾を網袋に入れて収納する場合には、温湯消毒後に種籾を網袋ごと取り出せばよいが、種籾容器に種籾を直に収納する場合には、種籾容器が正立姿勢のままでは種籾を取り出しにくいので、種籾容器を傾けたり倒立させるなどして種籾を放出したうえ、残った種籾を掻き出さなければならず、種籾の取り出し作業が煩雑で手間のかかるのが実情であった。
【０００４】
そこで、本発明は、容器の底面を種籾の安息角を超える角度まで傾斜状に下方に向けて開放自在に構成したことにより、温湯消毒後に種籾の取り出し位置で容器を吊り上げた状態で底面を開くだけで、容器内の種籾を底面の開いた部分からの放出と底面上の円滑な流動作用とによって迅速かつ確実に取り出すことができる、作業性にすぐれた種籾の温湯消毒用種籾容器を提供することを目的とする。
【０００５】
【課題を解決するための手段】
上記目的を達成するため、本発明は次の種籾の温湯消毒用種籾容器を提供する。すなわち、請求項１に係るものは、種籾を温湯に浸して病原菌を殺菌、滅菌または除菌する種籾の温湯消毒に用いる種籾容器であって、容器の周面および底面は多孔板で構成され、底面は種籾の安息角を超える角度まで傾斜状に下方に向けて開放自在に構成されていることを特徴とするものである。
【０００６】
請求項２に係るものは、請求項１の構成において、容器の底面は、容器の周面下端にヒンジ構造をもって開閉自在に取り付けられた開閉蓋構造であることを特徴とするものである。
【０００７】
請求項３に係るものは、請求項１または２の構成において、容器は立方体または直方体であって、容器の左右中間部には容器内を２分する仕切体が設けられており、底面は容器の左右下端にそれぞれヒンジ構造で取り付けられ、かつ仕切体側を開き端とする２枚の開閉蓋構造であることを特徴とするものである。
【０００８】
請求項４に係るものは、請求項３の構成において、容器内を２分する仕切体は多孔状であって、この仕切体は通水面を成していることを特徴とするものである。
【０００９】
請求項５に係るものは、請求項２ないし４のいずれかの構成において、２枚の開閉蓋は、連動して同時に開閉自在であって、その連動機構は仕切体内に装備されていることを特徴とするものである。
【００１０】
請求項６に係るものは、請求項２ないし５のいずれかの構成において、容器は吊り構造を成し、容器の吊り上げ状態でその底面の開放操作ができ、開放した底面は容器を所要の載置面に降ろす過程で自動的に閉じかつ閉じ保持される構成であることを特徴とするものである。
【００１１】
【発明の実施の形態】
図１は本発明の一実施の形態に係る種籾の温湯消毒用種籾容器を示す斜視図、図２は同上容器の底面を成す開閉蓋を開いた態様を示す斜視図、図３は図１の態様に対応する断面図、図４は図２の態様に対応する断面図、図５は本発明に係る種籾容器を用いた種籾の温湯消毒態様を示す斜視図である。
【００１２】
本発明に係る種籾の温湯消毒用種籾容器１は、前後の周面２、左右の周面３および底面４がいずれも多孔板からなる直方体（あるいは立方体）の容器であって、容器内はその左右中間部を仕切体５によって２分されており、底面４は上記仕切体５を境にして左右に２分された２枚の開閉蓋６で構成されている。上記２枚の開閉蓋６は、それぞれ左右の周面３の下端にヒンジ７によって下方に開放自在に取り付けられており、この２枚の開閉蓋６はそれぞれ仕切体５側が開き端となっている。仕切体５は上端が山形でかつ全体が多孔状のものであって、この仕切体５は容器の左右に２分された部分に対して通水性の面を成していて、種籾容器１を温湯に浸けたときは温湯の流入を助け、また温湯より引き上げた際には内部からの排水を促進する機能を備えている。
【００１３】
左右の周面３の下端にヒンジ７によって仕切体５側を開き端とする下方に開放自在の開閉蓋６は、それぞれ固定ピン８が開閉蓋６の開き角規制円弧状溝９に係合していて、開閉蓋６の下方に開く角度は、開閉蓋６の面を種籾が滞りなく流動する傾斜面を成す安息角を超えるように設定されている。また開閉蓋６は容器の底面を閉じた状態を保持させる係止構造１０を備えている。すなわち、開閉蓋６の係止孔１１に対して係止突起１２が係脱自在となっており、係止突起１２はスプリング１３で係止方向に付勢されたアーム１４に連動していて、開放操作アーム１５の外方への引き操作で係止突起１２が係止孔１１から離脱するように成っている。そして、上記係止構造１０はそれぞれ容器の前後側に対をなすように設けられており、その間が連動アーム１６により連動されていて、容器の前後いずれからでも開閉蓋６の開放操作ができるように成っている。なお、上記対をなす係止構造１０は、スプリング１３の掛け止め状態と連動アーム１６の連結状態が異なるだけであって同構成であるから同構成部分には同符号を付してある。容器の前後の周面２にはその上端間にわたって吊りアーム１７が取り付けられている。この吊りアーム１７は、山形状であって容器の左右中間に位置する仕切体５に沿って設けられているとともに、吊りアーム１７の山形頂点が容器の前後中間に位置していて、吊りアーム１７の山形頂点を吊り下げると容器が平衡姿勢を保つようにしてある。
【００１４】
種籾の安息角を超える角度まで傾斜状に下方に向けて開放自在と成っている開閉蓋６は、開いた状態で容器を所要の載置面に降ろすと自動的に閉じるものであるが、その自動的に閉じる作動を円滑にするため、開閉蓋６の開き側には、回転コロ状の足１８を備え付けてある。
【００１５】
本発明に係る種籾容器１を用いて種籾の温湯消毒をするには、その仕切体５で２分されている部分に、消毒しようとする種籾を均等に収納する。そして、種籾を収納した種籾容器１をその吊りアーム１７で吊り上げて、図５に示すように温湯タンク１９内の温湯に所定時間浸すものとする。この状態において種籾容器１はその上端部が温湯タンク１９の温湯面よりａの高さだけ上に出るように成っていて、種籾容器１を温湯に浸しても、種籾容器１に直に収納した種籾がその上端から漏れ出さないように配慮されている。
【００１６】
上記のようにして種籾の温湯消毒時間が経過したならば、種籾容器１を温湯タンク１９から引き上げて種籾排出位置に移したうえ、開放操作アーム１５を手前に引いて底面４を成す開閉蓋６を下方に開放すれば、容器内の種籾は、底面４の開いた部分から落下するとともに、種籾の安息角を超える角度まで下方に傾斜している開閉蓋６の傾斜面を滞りなく流動して迅速かつ確実に排出される。
【００１７】
このようにして種籾容器１から種籾の排出が完了した後、次に種籾の温湯消毒を行うには、開閉蓋６が開いている種籾容器１を種籾を投入する所定の載置面に降ろせば、その過程で開閉蓋６は閉じたうえ係止構造１０によって閉じた状態に保持されるので、次に温湯消毒をする種籾を直ちに種籾容器１に投入することができる。
【００１８】
【発明の効果】
本発明によれば、容器の底面を種籾の安息角を超える角度まで傾斜状に下方に向けて開放自在に構成したことにより、温湯消毒後に種籾の取り出し位置で容器を吊り上げた状態で底面を開くだけで、容器内の種籾を底面の開いた部分からの放出と底面上の円滑な流動作用とによって迅速かつ確実に取り出すことができる、作業性にすぐれた種籾の温湯消毒用種籾容器が得られるものである。
【図面の簡単な説明】
【図１】本発明の一実施の形態に係る種籾の温湯消毒用種籾容器を示す斜視図である。
【図２】同上容器の底面を成す開閉蓋を開いた態様を示す斜視図である。
【図３】図１の態様に対応する断面図である。
【図４】図２の態様に対応する断面図である。
【図５】本発明に係る種籾容器を用いた種籾の温湯消毒態様を示す斜視図である。
【符号の説明】
１  温湯消毒用種籾容器
２  前後の周面
３  左右の周面
４  底面
５  仕切体
６  開閉蓋
７  ヒンジ
８  ピン
９  開き角規制円弧状溝
１０  係止構造
１１  係止孔
１２  係止突起
１３  スプリング
１４  アーム
１５  開放操作アーム
１６  連動アーム
１７  吊りアーム
１８  回転コロ状の足
１９  温湯タンク
ａ  温湯面より上に出る高さ
【図１】
2004337134.tif 000003
【図２】
2004337134.tif 000004
【図３】
2004337134.tif 000005
【図４】
2004337134.tif 000006
【図５】
2004337134.tif 000007